(57)【要約】      （修正有）【課題】傷病者の体格の違いに対応可能で、傷病者に大きな負担をかけることなく速やかに適用することができ、しかも大掛かりなエア供給装置等を必要とせず、安価に製作することができる気道異物除去具を提供する。【解決手段】傷病者の胴に巻き付けられた状態で固定される帯体２と、該帯体２の内側面に固定され、帯体２が傷病者の胴に巻き付けられた状態において、傷病者の上腹部に押し当てられる突起部３と、帯体２の外側面に固定され、帯体２の長手方向において突起部３の両側に位置する把手部４と、を備える。【選択図】図２
0003151311.tif 000002
【実用新案登録請求の範囲】
【請求項１】
傷病者の胴に巻き付けられた状態で固定される帯体（２）と、
該帯体（２）の内側面（２ａ）に固定され、前記帯体（２）が傷病者の胴に巻き付けられた状態において、傷病者の上腹部に押し当てられる突起部（３）と、
該帯体（２）の外側面（２ｂ）に固定され、前記帯体（２）の長手方向において前記突起部（３）の両側に位置する把手部（４）と、を備えてなることを特徴とする気道異物除去具。
【請求項２】
前記突起部（３）が、前記帯体（２）の内側面（２ａ）に形成されるポケット体（３１）に、丸められた布状体（３２）を挿入してなることを特徴とする請求項１記載の気道異物除去具。
【請求項３】
前記把手部（４）が、前記帯体（２）の長手方向に沿って複数設けられていることを特徴とする請求項１又は２記載の気道異物除去具。
【考案の詳細な説明】
【技術分野】
【０００１】
本考案は、気道に異物を詰まらせたときにその異物を除去するための気道異物除去具に関する。
【背景技術】
【０００２】
気道（特に咽頭）に餅やコンニャク等を詰まらせたときは、速やかに除去しなければ、呼吸困難に陥って生命の危険に晒されることがある。かかる場合の応急措置として、傷病者（気道を詰まらせた人）の上腹部を圧迫し、気道に詰まった異物を吐き出させるハイムリック法が一般に採用されている。
【０００３】
具体的には、座らせた傷病者の背後に回り込んで両腋の下から腕を通し、一方の掌でつくった握り拳を上腹部（みぞおちの下方）にあてがうとともに、その握り拳を他方の掌で掴んで傷病者を抱え込むようにする。その状態から腕を引き上げて、傷病者の上腹部を握り拳で斜め上方に突き上げるように繰り返し圧迫することにより、体の内側から異物を押し出すように除去する。
【０００４】
しかしながら、傷病者が大柄な人の場合は回し込んだ手が届きにくく、また、握り拳を上腹部に対して正確にあてがいながら抱え込むことは難しい。特に握り拳がずれて、みぞおち上方の剣状突起（軟骨）が圧迫された場合、容易に損傷する危険性がある。これに対し、救命胴衣において、ハイムリック法と同様の作用を奏するように、胴衣の上腹部に対応する箇所にエアバッグを装着し、これに瞬間的に気体充填して膨張させるアイデアが提案されている（例えば、特許文献１参照。）。
【先行技術文献】
【特許文献】
【０００５】
【特許文献１】特表２００５−５３３５４１号公報
【考案の概要】
【考案が解決しようとする課題】
【０００６】
上記救命胴衣において、エアバッグが傷病者の上腹部に対して適正な位置に設定されていれば良いが、傷病者の体格しだいでは、エアバッグ位置がうまく合わないことがある。また、救命胴衣の着用段階では、エアバッグが膨張しておらず、適正な位置に設定されているかどうかの判断が難しく、呼吸困難で苦しんでいる傷病者にそのような調整に付き合わせること自体が酷である。さらに異物が吐き出されるまでには、強い突き上げ力を何度も繰り返し作用させることを要するが、そのためには、大掛かりで高価なエア供給装置が必要であり、応急用として配置するには不向きである。
【０００７】
本考案は、上記のような事情に鑑みて、傷病者の体格の違いに対応可能で、傷病者に大きな負担をかけることなく速やかに適用することができ、しかも大掛かりなエア供給装置等を必要とせず、安価に製作することができる気道異物除去具を提供する。
【課題を解決するための手段】
【０００８】
請求項１の考案は、傷病者の胴に巻き付けられた状態で固定される帯体（２）と、
該帯体（２）の内側面（２ａ）に固定され、前記帯体（２）が傷病者の胴に巻き付けられた状態において、傷病者の上腹部に押し当てられる突起部（３）と、
該帯体（２）の外側面（２ｂ）に固定され、前記帯体（２）の長手方向において前記突起部（３）の両側に位置する把手部（４）と、を備えてなることを特徴とする気道異物除去具を提供する。
【０００９】
請求項２の考案は、前記突起部（３）が、前記帯体（２）の内側面（２ａ）に形成されるポケット体（３１）に、丸められた布状体（３２）を挿入してなることを特徴とする請求項１記載の気道異物除去具を提供する。
【００１０】
請求項３の考案は、前記把手部（４）が、前記帯体（２）の長手方向に沿って複数設けられていることを特徴とする請求項１又は２記載の気道異物除去具を提供する。
【考案の効果】
【００１１】
請求項１記載の気道異物除去具によれば、以下の優れた効果を奏する。突起部（３）を傷病者の上腹部で、かつ、ハイムリック法に適した位置に押し当てられるように適宜確認しながら作業可能で、しかも傷病者の胴に帯体（２）を巻き付けるだけであるから、傷病者に対して大きな負担を強いること無く、速やかに応急処置が講じることができる。また、突起部（３）の両側に把手部（４）を配置したので、傷病者の体格が相当大きく両手を上腹部に届かせることが難しい場合でも、把手部（４）を把持して突き上げ動作を確実に行うことができる。特に、エアバッグを膨張させるエア供給装置等、大掛かりで高価なものを必要としないため、安価かつ簡単に製作することができる。
【００１２】
請求項２記載の気道異物除去具によれば、請求項１記載の気道異物除去具が奏する効果に加えて、以下の優れた効果を奏する。帯体（２）に設けられたポケット体（３１）に丸めた布状体（３２）を挿入して、突起部（３）を形成するので、普段は、ポケット体（３１）から布状体（３２）を取り出した状態で折り畳んでコンパクトに収納することができる。また、挿入する布状体（３２）の大きさを変えることで、傷病者の体格に適した大きさの突起部（３）を容易に形成することができる。
【００１３】
請求項３記載の気道異物除去具によれば、請求項１又は２記載の気道異物除去具が奏する効果に加えて、以下の優れた効果を奏する。把手部（４）が帯体（２）の長手方向に沿って複数設けられているので、応急処置を講じる者が、傷病者の体格に応じて帯体（２）を引き上げ易い位置にある把手部（４）を選択することができる。
【図面の簡単な説明】
【００１４】
【図１】本実施形態に係る気道異物除去具を示す図。
【図２】本実施形態に係る気道異物除去具の使用状態を示す図。
【図３】本実施形態に係る気道異物除去具の使用状態を示す平断面図で、（ａ）傷病者の胴部への巻き付け動作、及び（ｂ）上腹部の圧迫動作を示す。
【図４】本実施形態に係る気道異物除去具の突起部を示す図。
【考案を実施するための形態】
【００１５】
本実施形態に係る気道異物除去具１について図を参照しながら説明する。
【００１６】
（気道異物除去具１）
本実施形態に係る気道異物除去具１は、図１及び図３に示されるように、帯体２と、帯体２の内側面２ａでその長手方向の略中央部に固定される突起部３と、帯体２の外側面２ｂでその長手方向における突起部３の両側に固定される二つの把手部４と、を備えてなる。気道異物除去具１は、図２及び図３に示されるように、気道に異物を詰まらせた傷病者の胴に帯体２を巻き付けて、突起部３が傷病者の上腹部に押し当てられた状態で、傷病者の両腋付近に位置する把手部４を後ろ斜め上方（図２、図３（ｂ）の矢印方向）に繰り返し引き上げることにより、上腹部を圧迫して詰まった異物を吐き出させる。
【００１７】
（帯体２）
帯体２は、柔道帯のように強度が高く、伸縮しにくい布材（非伸縮性可撓シート材）で形成されている。図３（ｂ）に示されるように、傷病者の胴に沿うように巻き付けられた状態で固定されるように、帯状体２の長手方向における一端（内側面２ａ側）及び他端（外側面２ｂ側）に、相互に着脱可能に結合される面ファスナー２１ａ，２１ｂがそれぞれ取り付けられている。また、傷病者の体格の違い（胴回り寸法の大小）にも対応できるように、面ファスナー２１ａ，２１ｂは、帯体２の長手方向に十分な長さが確保されており、巻付け長さが調節可能とされている。
【００１８】
（突起部３）
突起部３は、図４に示されるように、布材（可撓性シート材）で形成されて、帯体２の内側面２ａ側に縫合されるポケット体３１と、ポケット体３１に丸められた状態で挿入される布状体３２と、を備えてなる。ポケット体３１は、開口周縁部が帯体２の内側面２ａ側に縫合されており、その上面側にスリット状の開口３１ａが形成される袋状体３１１と、開口３１ａの内側に取り付けられて開口３１ａを閉鎖するフラップ体３１２と、を備えてなる。
【００１９】
布状体３２は、例えばタオル生地等の厚手で嵩の大きい布材により形成されており、図３に示されるように、ポケット体３１の開口３１ａを大きく押し広げるとともにフラップ体３１２を引き上げた状態で挿入される。傷病者の体格に合わせて、突起部３の大きさを設定できるように、異なる大きさの布状体を取替え可能に、あるいは複数枚の布状体を組合せ可能に備えておいても良い。なお、袋状体３１１は、伸縮性を有する布材で形成されており、布状体３２の大きさに合わせて伸縮することにより、内部に挿入された布状体３２の位置ズレを防止する。
【００２０】
（把手部４）
把手部４は、帯体２と同様に強度が高く、伸縮しにくい布材（非伸縮性可撓材）で形成されており、その両端が帯体２の外側面２ａに縫い付けられることにより、図１及び図３に示されるように、帯体２と共にループ形状を形成する紐体である。把手部４は、上述したとおり、帯体２の長手方向において突起部３の両側に固定されており、図２に示されるように、帯体２が傷病者の胴に巻き付けられた状態において、傷病者の両腋付近に対応するように位置している。
【００２１】
（上記実施形態の変形例）
上記実施形態では、把手部４は、突起部３の左右両側に１つずつ設けることとしたが、これに限らず、帯体２の長手方向に沿って複数個取り付けるようにしても良い。これにより、応急処置を講じる者が、傷病者の体格に応じて引き上げ易い位置にある把手部４を選択することができる。
【００２２】
上記実施形態では、突起部３は、ポケット体３１に丸められた布状体３２を詰め込むことにより形成したが、布状体以外のもの、例えばゴムで形成されるボール体等の塊状物体を詰め込むようにしても良い。また、突起部は、ポケット体に物を詰めて形成するのではなく、帯体２に塊状物体を直接固定して形成するようにしても良い。さらに、面ファスナーやホック等の固定具で着脱可能に固定しても良い。
【００２３】
上記の他、本考案は、上記した実施の形態に限定されず、本考案の要旨を逸脱しない範囲内において種々変更を加え得ることは勿論である。
【符号の説明】
【００２４】
１    気道異物除去具
２    帯体
３    突起部
４    把手部
【図１】
0003151311.tif 000003
【図２】
0003151311.tif 000004
【図３】
0003151311.tif 000005
【図４】
0003151311.tif 000006